(57)【特許請求の範囲】
【請求項１】
地面に対して立設された二本の支柱と二本の該支柱の上端部間を連結する上側連結棒と下端部間を連結する下側連結棒とからなる枠状部材、及び該枠状部材の内側に張設され、飛んでくる球を受け止める網状部材を有して構成される防球ネットと、
略水平状態に突出した状態で、前記上側連結棒の中央部分に設けられ、略垂直方向の軸心回りに回動可能に軸支された外筒と、
該外筒の回動を係止する係止手段と、
前記外筒に摺動可能に嵌挿され、前記外筒よりも水平方向に突出した内筒と、
弾性の紐状を呈し、一端側が前記防球ネットに取り付けられ、前記内筒の内部に挿通され、他端側に接合されたボールを前記内筒の一端から吊り下げた状態で支持する吊下部材と
を具備することを特徴とする打撃練習具。
【請求項２】
前記係止手段は、
前記上側連結棒の上部に溶接され、所定の円周に沿って所定の間隔で穿設される複数の小孔を上面に有する下板部材と、
前記外筒の下部に溶接され、複数の前記小孔のうち、少なくとも一つの前記小孔に嵌合され、前記上側連結棒と前記外筒とを所望の角度で係止する少なくとも一つの突起部を底面に有する上板部材と
を具備することを特徴とする請求項１に記載の打撃練習具。
【請求項３】
前記上板部材には、略水平状態に片持支持され、自由端が上方に押圧されることにより、略水平状態から傾斜状態に変位する可動板が備えられ、
該可動板は、前記突起部を底面から垂設し、前記略水平状態では前記突起部を前記小孔に挿入させ、前記傾斜状態では前記突起部を前記小孔から脱出させることを特徴とする請求項２に記載の打撃練習具。
【発明の詳細な説明】
【技術分野】
【０００１】
本発明は打撃練習具に関するものであり、特に、球技の打撃を練習する打撃練習具である。
【背景技術】
【０００２】
従来、野球等の球技における打撃の練習を一人で行う際、始めに、一方の手でボールを持ち、他方の手でバットを持った後、一方の手でボールを自分の所望の位置に放り投げ、その瞬間に、素早く両手でバットを持ち換えてバットを振ることにより、放り投げたボールを打っていた。ここで、打球が遠くに飛んでしまうことを防ぐため、枠体とその枠体の内側に張設されたネットからなる球技練習用ネットを打者の前方に設置し、ネットの撓みによって打球を受け止めていた。また、練習の際、補助者がいれば、補助者が打者の所望の位置に向かってボールを放り投げ、打球を打つ練習を補助することがあった。
【０００３】
上記の技術は、当業者において当然実施されているものであり、出願人は本願の出願当時において、上記技術が記載されている文献を特に知見していない。
【発明の開示】
【発明が解決しようとする課題】
【０００４】
しかしながら、人の手によってボールを放り投げるため、安定して所望の位置にボールを放り投げ続けることが難しく、打者が所望のボールの位置に対し、繰り返して練習を行うことが困難であり、打者の精神的な負担となっていた。また、打者がボールを打つ際、誤って球技練習用ネットが設置してある場所以外に打球が飛んでしまうと、打球が周りの建物や歩行者等に衝突する可能性があるため、周りを気にしながら練習を行わなければいけなかった。さらに、ボールが一つしかない場合は、ボールを打った後に、毎回、ボールを拾うことが必要であり、練習の効率が悪かった。
【０００５】
そこで、本発明は、上記の実情に鑑み、打者の所望の位置にあるボールに対し、繰り返して打撃の練習を行うことを可能とする打撃練習具の提供を課題とするものである。
【課題を解決するための手段】
【０００６】
本発明にかかる打撃練習具は、「地面に対して立設された二本の支柱と二本の該支柱の上端部間を連結する上側連結棒と下端部間を連結する下側連結棒とからなる枠状部材、及び該枠状部材の内側に張設され、飛んでくる球を受け止める網状部材を有して構成される防球ネットと、略水平状態に突出した状態で、前記上側連結棒の中央部分に設けられ、略垂直方向の軸心回りに回動可能に軸支された外筒と、該外筒の回動を係止する係止手段と、前記外筒に摺動可能に嵌挿され、前記外筒よりも水平方向に突出した内筒と、弾性の紐状を呈し、一端側が前記防球ネットに取り付けられ、前記内筒の内部に挿通され、他端側に接合されたボールを前記内筒の一端から吊り下げた状態で支持する吊下部材とを具備する」ものである。
【０００７】
本発明の打撃練習具によれば、外筒が略垂直方向の軸心回りに回動されると、内筒の一端から吊り下げた状態で支持されるボールの位置を略水平方向に変更することが可能である。さらに、係止手段によって、外筒と上側連結棒とが所望の角度で係止され、ボールを所望の位置に係止することが可能である。
【０００８】
さらに、本発明の打撃練習具によれば、吊下部材はボールの自重によりボール側に引っ張られているため、内筒を外筒の長手方向に摺動させると、上側連結棒に対する内筒の後端位置が変位し、内筒の後端から延出され上側連結棒に取り付けられた吊下部材の長さが変化する。ここで、内筒に挿通された吊下部材の長さは変わらないため、内筒の一端から吊り下げられた吊下部材の長さが変化し、地面に対するボールの高さが変化する。したがって、打者の所望位置に吊り下げられた状態で支持されたボールに対して、打撃の練習を行うことが可能である。
【０００９】
また、本発明の打撃練習具は、「前記係止手段は、前記上側連結棒の上部に溶接され、所定の円周に沿って所定の間隔で穿設される複数の小孔を上面に有する下板部材と、前記外筒の下部に溶接され、複数の前記小孔のうち、少なくとも一つの前記小孔に嵌合され、前記上側連結棒と前記外筒とを所望の角度をなすように係止する少なくとも一つの突起部を底面に有する上板部材とを具備する」ものであってもよい。
【００１０】
本発明の打撃練習具によれば、少なくとも一つの突起部を少なくとも一つの小孔に嵌合させると、外筒と上側連結棒とを所望の角度で係止する。また、下板部材には、所定の円周に沿って所定の間隔で複数の小孔が穿設されているため、外筒をどの位置に回動させても何れかの小孔に突起部が嵌合される。したがって、簡易な構造よって、外筒と上側連結棒を係止するので、装置の構造を簡素化することが可能である。
【００１１】
さらに、本発明の打撃練習具は、「前記上板部材には、略水平状態に片持支持され、自由端が上方に押圧されることにより、略水平状態から傾斜状態に変位する可動板が備えられ、該可動板は、前記突起部を底面から垂設し、前記略水平状態では前記突起部を前記小孔に挿入させ、前記傾斜状態では前記突起部を前記小孔から脱出させる」ものであってもよい。
【００１２】
本発明の打撃練習具によれば、可動板が略水平状態に片持支持され、突起部と小孔が嵌合される。突起部と小孔との嵌合を解除する際、可動板の自由端を上方に押圧して傾斜状態に変位させると、上板部材が略垂直方向の軸心周りに回動可能になる。そして、外筒を略垂直方向の軸心周りに、外筒と上側連結棒とが所望の角度になるまで回動させ、可動板の自由端から手を離すと略水平状態に変位し、突起部を小孔に嵌合することにより、外筒と上側連結棒とが所望の角度を維持した状態で固定する。したがって、外筒が係止されている状態を容易に解除させ、ボールの位置を変更することが可能である。
【発明の効果】
【００１３】
ボールの位置を容易に変更可能であり、打者の所望の位置に吊り下げた状態で支持されたボールに対して、打撃の練習を行うことが可能である。
【発明を実施するための最良の形態】
【００１４】
以下、本発明の実施形態である打撃練習具１について、図１乃至図４に基づいて説明する。図１は本発明の実施形態である打撃練習具の斜視図であり、図２は本発明の実施形態である打撃練習具の要部の構成を示す分解斜視図であり、図３は本発明の実施形態である打撃練習具の要部の構成を示す断面図であり、図４は本実施形態の要部の動作を示す説明図である。
【００１５】
本実施形態の打撃練習具１は、図１に示すように、打球を受け止める防球ネット２と防球ネット２に回動可能に軸支された外筒１０と外筒１０に嵌挿された内筒１１とボール１６が接合された吊下部材１５とを具備する。防球ネット２は、枠状部材５と枠状部材５の内側に張設され、打球を受け止める網状部材６からなる。なお、枠状部材５は、土台７によって支持され、地面に対して立設された二本の支柱３、及び二本の支柱３の上端部間を連結する上側連結棒４ａと下端部間を連結する下側連結棒４ｂとからなる。また、外筒１０は、略水平状態に突出した状態で、上側連結棒４ａに、略垂直方向の軸心回りに回動可能に軸支されており、内筒１１は、一端を略鉛直方向に折り曲げられた折曲部１４を有し、外筒１０に摺動可能に嵌挿される。さらに、吊下部材１５は、弾性を有する紐状部材からなり、一端側が上側連結棒４ａの端部に結び付けられ、他端側にボール１６が接合される。加えて、内筒１１の内部に挿通され、内筒１１の折曲部１４からボール１６を吊り下げた状態で支持する。
【００１６】
ここで、本実施形態の打撃練習具１は、図２及び図３に示すように、外筒１０の回動を係止する係止手段２０をさらに具備する。係止手段２０は、下円盤２１と下円盤２１に軸支された上円盤３０とを有して構成される。下円盤２１は、上側連結棒４ａの上部に溶接され、所定の円周に沿って所定の間隔で上面に穿設される複数の小孔２２とを有する。また、上円盤３０は、外筒１０の下部に溶接され、複数の小孔２２のうち、一つの小孔２２に嵌合される一つの突起部３１を底面に有する。さらに、上円盤３０の底面から略鉛直方向に突出して設けられた軸部材１２が、下円盤２１及び上側連結棒４ａを貫通する貫通孔２４に挿入される。また、軸部材１２の周面に螺刻されたねじ部１３が形成されているので、貫通孔２４から突出された軸部材１２が、ナットを有する締結部１７によって締結され、上円盤３０を下円盤２１及び上側連結棒４ａに軸部材１２の軸心回りに回動可能に軸支する。ここで、下円盤２１が本発明の下板部材に相当し、上円盤３０が本発明の上板部材に相当する。
【００１７】
さらに、上円盤３０には、一端が溶接され、略水平状態に片持支持されており、自由端が上方に押圧されることによって、略水平状態から傾斜状態に変位する可動板３２を備える。この可動板３２は、略水平状態では、突起部３１を小孔２２に挿入させ、傾斜状態では突起部３１を小孔２２から脱出させる。なお、可動板３２は略水平状態に付勢するように支持される。
【００１８】
次に、本実施形態における打撃練習具１の使用方法を図１、図２及び図４に基づき説明する。ボール１６の位置を変更する場合には、図４に示すように、略水平状態に片持支持された可動板３２を傾斜状態に変位させ、突起部３１を小孔２２から脱出させる。また、図２に示すように、ボール１６を左方向に移動する際、内筒１１をＥ方向に押圧させ、上円盤３０を矢印Ｃ方向に回動させる。そして、可動板３２の自由端から手を離すと、可動板３２の付勢力によって略水平状態に戻るため、突起部３１が一つの小孔２２に挿入され、内筒１１と上側連結棒４ａとが所望の角度で係止される。なお、ボール１６を右方向に移動する際、内筒１１をＦ方向に押圧すると、矢印Ｄ方向に回動される。したがって、ボール１６の位置を略水平方向に変更することが可能である。
【００１９】
また、ボールの高さを変更する場合には、内筒１１が外筒１０の長手方向に沿って矢印Ａ方向に摺動させる。すると、吊下部材１５はボール１６の自重によって矢印Ａ方向に引っ張られるため、内筒１１の一端から延出され上側連結棒４ａに取り付けられた吊下部材１５ａが短くなるが、内筒１１に挿通された吊下部材１５の長さは変わらないので、その分、折曲部１４から延出された吊下部材１５ｂが長くなる。このため、ボール１６の地面に対する高さが下がる。一方、内筒１１が外筒１０の長手方向に沿って矢印Ｂ方向に摺動させる。すると、ボール１６の地面に対する高さが上がる。したがって、地面に対するボール１６の高低を調整することが可能である。
【００２０】
本実施形態の打撃練習具１によれば、ボール１６を打者の所望の位置に移動させて打撃の練習を行うため、種々のボールの位置に対応した打撃技術の向上を図ることが可能である。
【００２１】
さらに、本実施形態の打撃練習具１によれば、突起部３１を一つの小孔２２に嵌合させ、外筒１０と上側連結部棒４ａとが所望の角度で係止されると、ボール１６を所望の位置に吊り下げた状態で支持する。したがって、ボール１６を打った衝撃で、上側連結棒４ａと外筒１０がなす角度が変更される虞がないため、繰り返し所望の位置にあるボール１６に対して練習を行うことが可能である。
【００２２】
また、本実施形態の打撃練習具１によれば、略水平状態に片持支持された可動板３２の自由端が上方に押圧されることよって、突起部３１と小孔２２との嵌合を解除可能であるため、ボール１６の位置を変更するときの操作性が優れている。
【００２３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００２４】
本実施形態では、上円盤３０と下円盤２１とは、小孔２２と突起部３１との嵌合によって係止されるものを示したが、上円盤３０と下円盤２１との接触面が夫々螺刻されて互いに噛合されて係止されるもの、又は上円盤２１と下円盤３０との接触面が夫々ゴム等で形成されて互いの摩擦力で係止するものであってもよい。ただし、小孔２２と突起部３１との嵌合によって係止するようにすれば、接触面の噛合を解除するために内筒１１を持ち上げたり、摩擦力に抗した操作によって外筒１０と上側連結棒４ａの角度を変化させたりする必要がない。このため、ボール１６の位置を略水平方向に変更するときの操作性がよい。
【００２５】
また、本実施形態では、吊下部材１５は弾性を有するものを示したが、吊下部材１５に例えば非弾性のものを用いるものであってもよい。ただし、吊下部材１５に弾性を有するようにすれば、打者がボール１６を打つ際、ボール１６に力が加わった方向にボール１６を飛ばすことが可能であり、打者が打球の方向を認識することが可能である。
【００２６】
さらに、本実施形態では、内筒１１は折曲部１４を有するものを示したが、折曲部１４を有さないものであってもよい。ただし、折曲部１４を有するようにすれば、打者がボール１６を打った際、折曲部１４の端部に支点を有するボール１６の振り子運動の振幅を小さくすることが可能である。
【００２７】
また、本実施形態では、土台７を有するものを示したが、支柱３ａ，３ｂは地中に埋め込まれるものであってもよい。ただし、土台７を有するようにすれば、打撃練習具１の持ち運びが可能である。
【００２８】
さらに、本実施形態では、上板部材及び下板部材は円盤状のものを用いたが、方形状のものであってもよい。
【００２９】
なお、本実施形態では、野球の打撃練習を行うために使用するものを示したが、サッカーやテニス等の他の球技における打撃の練習を行うために使用するものであってもよい。
【図面の簡単な説明】
【００３０】
【図１】本発明の実施形態である打撃練習具の斜視図である。
【図２】本発明の実施形態である打撃練習具の要部の構成を示す分解斜視図である。
【図３】本発明の実施形態である打撃練習具の係止手段の構成を示す断面図である。
【図４】本実施形態の要部の動作を示す説明図である。
【符号の説明】
【００３１】
１    打撃練習具
２    防球ネット
３    支柱
４ａ  上側連結棒
４ｂ  下側連結棒
５    枠状部材
６    網状部材
１０  外筒
１１  内筒
１５  吊下部材
１６  ボール
２０  係止手段
２１  下円盤（下板部材）
２２  小孔
３０  上円盤（上板部材）
３１  突起部
３２  可動板
【図１】
0004657861.tif 000002
【図２】
0004657861.tif 000003
【図３】
0004657861.tif 000004
【図４】
0004657861.tif 000005